(57)【要約】【課題】ホタテ貝の衝突による魚介類採取具の爪の破損を防止する。【解決手段】魚介類採取具の爪１０は、第１方向に延び、魚介類採取具に取り付けられる基部１２、第１方向から第２方向に延びるように方向を転換する屈曲部１５、及び屈曲部１５から第２方向に延び、海底の土壌を掘り起こすための爪先が取り付けられる先端部１６を含む弾性金属線材１１と、少なくとも屈曲部１５を覆うように、弾性金属線材１１に嵌められた金属管１９とを含んでいる。【選択図】図３
2020115766.tif 000002
【特許請求の範囲】
【請求項１】
魚介類採取具の爪であって、
第１方向に延び、魚介類採取具に取り付けられる基部、第１方向から第２方向に延びるように方向を転換する屈曲部、及び前記屈曲部から第２方向に延び、海底の土壌を掘り起こすための爪先が取り付けられる先端部を含む弾性金属線材と、
少なくとも前記屈曲部を覆うように、前記弾性金属線材に嵌められた金属管と
を含む魚介類採取具の爪。
【請求項２】
前記基部は、前記第１方向及び前記第２方向を含む面内におけるこの魚介類採取具の爪の角度の変動を緩衝するための緩衝部をさらに含む請求項１に記載の魚介類採取具の爪。
【請求項３】
前記緩衝部は、前記弾性金属線材がコイル状に形成されてなる請求項２に記載の魚介類採取具の爪。
【請求項４】
前記基部には、魚介類採取具に取り付けるための第１曲げ部が形成された請求項１から３のいずれかに記載の魚介類採取具の爪。
【請求項５】
前記先端部には、前記爪先を取り付けるための第２曲げ部が形成された請求項１から４のいずれかに記載の魚介類採取具の爪。
【請求項６】
前記弾性金属線材はばね鋼であり、前記金属管は鋼管又はステンレス鋼管である請求項１から５のいずれかに記載の魚介類採取具の爪。
【発明の詳細な説明】
【技術分野】
【０００１】
本発明は、ホタテ貝等を採取する魚介類採取具の爪に関するものである。
【背景技術】
【０００２】
海底下３ｃｍ程の所に生息しているホタテ貝等を漁獲する魚介類採取具として、八尺と呼ばれる大きな熊手状の道具が古くから使われている。図１は、このような八尺２００の一例を示す図である。図１（ａ）の全体図に示すように、八尺の袋状の網２０１の網口２０２に渡された桁２０３には、親爪と称される固定爪２０７と子爪と称される可動爪１１０とが櫛状に配置されている。図１（ｂ）の要部拡大図に示すように、固定爪２０７は桁２０３に固定され、可動爪１１０は桁２０３に着脱可能なように取り付けられている。
【０００３】
以下の本明細書では固定爪２０７と可動爪１１０との内で専ら可動爪１１０について検討するものとし、可動爪１１０のことを魚介類採取具の爪１１０と称することにする。図１（ａ）に示した八尺２００は、引手２０９に取り付けられた図示しない引綱によって海底を引かれ、魚介類採取具の爪１１０が海底の土壌を掻き起し、土壌に潜り込んでいるホタテ貝等を袋状の網２０１に採取することができる。
【０００４】
図２は、従来の魚介類採取具の爪１１０を示す図である。図２（ａ）に示す従来の魚介類採取具の爪１１０の一例は、弾性金属線材からなり、第１方向に延び、魚介類採取具に取り付けられる基部１１２と、第１方向から第２方向に方向を転換する屈曲部１１５と、第２方向に延び、海底の土壌を掘り起こすための爪先１２０が取り付けられる先端部１１６とを有している（特許文献１を参照）。図２（ｂ）に示す従来の魚介類採取具の爪１１０の他の例は、第１方向に延びる基部１１２と、第２方向に延びる爪先１２０とが、挟み板１３０によって接続されている（特許文献２を参照）。
【先行技術文献】
【特許文献】
【０００５】
【特許文献１】特開２００１−７８６２４号公報
【特許文献２】特開２００２−５１６６８号公報
【発明の概要】
【発明が解決しようとする課題】
【０００６】
ところで、図２（ａ）に示したような従来の魚介類採取具の爪１１０の一例において、海底の土壌に潜り込んでいるホタテ貝を掻き起こすとき、ホタテ貝が屈曲部１１５に衝突し、屈曲部１１５に傷がついたり、屈曲部１１５が折れたりするなど魚介類採取具の爪１１０が破損することがあった。また、図２（ｂ）に示したような従来の魚介類採取具の爪１１０の他の例においては、基部１１２と爪先１２０とを接続するために、挟み板１３０を必要としていた。
【０００７】
この出願に係る発明は、上述の実情に鑑みて提案されるものであり、ホタテ貝を採取するときにホタテ貝の衝突によって破損することがなく、挟み板を必要とすることのないような魚介類採取具の爪を提供することを目的とする。
【課題を解決するための手段】
【０００８】
上述の課題を解決するために、この出願に係る魚介類採取具の爪は、第１方向に延び、魚介類採取具に取り付けられる基部、第１方向から第２方向に延びるように方向を転換する屈曲部、及び屈曲部から第２方向に延び、海底の土壌を掘り起こすための爪先が取り付けられる先端部を含む弾性金属線材と、少なくとも屈曲部を覆うように、弾性金属線材に嵌められた金属管とを含んでいる。
【０００９】
基部は、第１方向及び第２方向を含む面内におけるこの魚介類採取具の爪の角度の変動を緩衝するための緩衝部をさらに含んでもよい。緩衝部は、弾性金属線材がコイル状に形成されてなってもよい。
【００１０】
基部には、魚介類採取具に取り付けるための第１曲げ部が形成されてもよい。先端部には、爪先を取り付けるための第２曲げ部が形成されてもよい。
【００１１】
弾性金属線材はばね鋼であり、金属管は鋼管又はステンレス鋼管でもあってもよい。
【発明の効果】
【００１２】
この出願に係る発明によると、弾性金属線材の屈曲部に金属管が嵌められ、屈曲部を覆って保護している。したがって、魚介類採取具の爪を用いてホタテ貝を採取するときに、屈曲部のホタテ貝が衝突することによる破損を防止することができる。また、挟み板を必要としない。
【図面の簡単な説明】
【００１３】
【図１】八尺の概略的な構成を説明する図である。
【図２】従来の魚介類採取具の爪を示す斜視図である。
【図３】本実施の形態の魚介類採取具の爪を示す斜視図である。
【図４】本実施の形態の魚介類採取具の爪をさらに示す図である。
【図５】第１変形例を示す斜視図である。
【図６】第２変形例を示す斜視図である。
【図７】第３変形例を示す斜視図である。
【発明を実施するための形態】
【００１４】
以下、本実施の形態に係る魚介類採取具の爪について、図面を参照して詳細に説明する。図３は、本実施の形態の魚介類採取具の爪を示す斜視図である。図４は、本実施の形態の魚介類採取具の爪をさらに示す図である。図４（ａ）は正面図、図４（ｂ）は下面図、図４（ｃ）は図４（ｂ）の下面図の切断線Ａ−Ａにおける断面図である。
【００１５】
魚介類採取具の爪１０は、第１方向に延び、魚介類採取具に取り付ける基部１２と、基部１２が延びる第１方向から第２方向に方向を転換する屈曲部１５と、屈曲部１５から第２方向に延び、海底の土壌を掘り起こすための爪先を取り付ける先端部１６とを有する弾性金属線材１１を有している。弾性金属線材１１は、所定径を有するばね鋼によって構成されてもよい。
【００１６】
また、魚介類採取具の爪１０は、弾性金属線材１１の少なくとも屈曲部１５を覆うように、弾性金属線材１１に嵌められた金属管１９を有している。金属管１９は、弾性金属線材１１との間に所定の間隙を有するように所定の内径を有している。金属管１９は、鋼管で構成されてよく、ステンレス鋼管で構成されてもよい。
【００１７】
弾性金属線材１１の基部１２は、魚介類採取具に取り付けるために弾性金属線材１１の一端１１ａが所定の形状に曲げられた第１曲げ部１３を有している。第１曲げ部１３は、この魚介類採取具の爪１０を魚介類採取具の桁にボルトとナットとで取り付けるために適した形状であってもよい。
【００１８】
弾性金属線材１１の基部１２は、弾性金属線材１１の一端１１ａに形成された第１曲げ部１３に隣接して緩衝部１４を有している。緩衝部１４は、第１方向及び第２方向を含む面内において、魚介類採取具に取り付けられた第１曲げ部１３に対するこの魚介類採取具の爪１０の角度の変動を緩衝している。緩衝部１４は、第１方向及び第２方向に直交する方向を軸として弾性金属線材１１が巻かれてなるコイルばねによって構成されている。緩衝部１４によって、海底の土壌を掘り起こしてホタテ貝を採取するときにホタテ貝に与える衝撃が和らげられ、ホタテ貝の損傷が低減される。
【００１９】
弾性金属線材の屈曲部１５は、基部１２が延びる第１方向から先端部１６が延びる第２方向に弾性金属線材１１が延びる方向を転換している。屈曲部１５において、弾性金属線材１１は、第１方向及び第２方向を含む面内において所定径の円周の一部を形成してもよい。ここでは、屈曲部１５は、頂角が略１２０°をなす円弧によって構成されている。
【００２０】
本実施の形態において、弾性金属線材１１の屈曲部１５には、金属管１９が嵌められている。金属管１９は、少なくとも弾性金属線材１１の屈曲部１５を覆うものであればよく、さらに基部１２及び／又は先端部１６の一部を覆うように延長されてもよい。金属管１９は、弾性金属線材１１が屈曲部１５を形成するように曲げ加工される前の段階において、予め弾性金属線材１１の屈曲部１５に相当する部分に嵌められ、弾性金属線材１１が屈曲部１５に曲げ加工されるときに同時に曲げられる。曲げ加工の後で、金属管１９は、屈曲部１５を含む弾性金属線材１１とともに熱処理されてもよい。
【００２１】
弾性金属線材１１の先端部１６は、海底の土壌を掘り起こす爪先を取り付けるために弾性金属線材１１の他端１１ｂが所定の形状の曲げられた第２曲げ部１７を有している。第２曲げ部１７は、この魚介類採取具の爪１０に爪先を取り付けるために適した形状であってもよい。
【００２２】
本実施の形態の魚介類採取具の爪１０においては、弾性金属線材１１の屈曲部１５に金属管１９が嵌められ、屈曲部１５を覆って保護している。この魚介類採取具の爪１０を用いてホタテ貝を採取するときに、ホタテ貝は金属管１９によって阻止され、屈曲部１５に衝突することがない。したがって、屈曲部１５にホタテ貝が衝突することによる屈曲部１５の破損を防止することができる。また、従来の魚介類採取具の爪のような挟み板などの部材を必要としない。
【００２３】
本実施の形態の魚介類採取具の爪１０は、弾性金属線材１１の屈曲部１５に金属管１９が嵌められているため、屈曲部１５における強度が向上する。また、製造工程において、曲げ加工前の段階において予め弾性金属線材１１に金属管１９を嵌めて、弾性金属線材１１と金属管１９とを同時に曲げ加工するため、製造が容易である。曲げ加工時に弾性金属線材１１が金属管１９によって覆われて保護されているため、曲げ加工によって弾性金属線材１１に傷がつくことを防止することができる。さらに、屈曲部１５を金属管１９で覆って保護しているため、樹脂で覆った場合に起こり得るような海洋をプラスチックにより汚染する心配がない。
【００２４】
図５は、魚介類採取具の爪の第１変形例を示す斜視図である。第１変形例においては、図３及び図４に示した本実施の形態の魚介類採取具の爪１０と対応する構成要素について同様の参照符号を付して対応関係を示すものとする。他の変形例においても同様である。
【００２５】
第１変形例の魚介類採取具の爪１０は、第１方向に延びる基部１２と、基部１２が延びる第１方向から第２方向に方向を転換する屈曲部１５と、屈曲部１５から第２方向に延びる先端部１６とを有する弾性金属線材１１を有している。基部１２には、弾性金属線材１１の一端１１ａに魚介類採取具に取り付けるための第１曲げ部１３が形成され、第１曲げ部に隣接して弾性金属線材１１がコイル状に巻かれた緩衝部１４が形成されている。先端部１６には、弾性金属線材１１の他端１１ｂに海底の土壌を掘り起こすための爪先２０を取り付けるための第２曲げ部１７が形成されている。また、第１変形例の魚介類採取具の爪１０は、弾性金属線材１１の少なくとも屈曲部１５を覆うように、弾性金属線材１１に嵌められた金属管１９を有している。
【００２６】
第１変形例の魚介類採取具の爪１０は、屈曲部１５が略９０°の頂角を有する円弧によって構成されている点で、屈曲部１５が略１２０°の頂角を有する円弧によって構成された図３及び図４に示した本実施の形態の魚介類採取具の爪１０と相違している。他の構成については、前記本実施の形態の魚介類採取具の爪１０と同様である。
【００２７】
図５においては、弾性金属線材１１の先端部１６の第２曲げ部１７に取り付けられた爪先２０も併せて示されている。爪先２０は、海底の土壌を掘り起こすために延びたエッジ２１と、この爪先２０を第２曲げ部１７に取り付けるための結合部２２とを有している。      
【００２８】
第１変形例の魚介類採取具の爪１０においても、弾性金属線材１１の屈曲部１５に金属管１９が嵌められ、屈曲部１５は金属管１９によって覆われて保護されている。したがって、爪先２０のエッジ２１で海底の土壌を掘り起こしてホタテ貝を採取するときに、ホタテ貝が屈曲部１５に衝突して屈曲部１５を破損することが防止されている。他にも、前記本実施の形態の魚介類採取具の爪１０と同様の効果を有する。
【００２９】
図６は、魚介類採取具の爪の第２変形例を示す斜視図である。第２変形例の魚介類採取具の爪１０は、第１方向に延びる基部１２と、基部１２が延びる第１方向から第２方向に方向を転換する屈曲部１５と、屈曲部１５から第２方向に延びる先端部１６とを有する弾性金属線材１１を有している。基部１２には、弾性金属線材１１の一端１１ａに魚介類採取具に取り付けるための第１曲げ部１３が形成されている。
【００３０】
第２変形例の屈曲部１５は、第１方向から第２方向に向かう第３方向に方向を転換した後で第３方向から第２方向に方向を転換するように２箇所の曲げで形成されている。先端部１６には、弾性金属線材１１の他端１１ｂに海底の土壌を掘り起こすための爪先２０を取り付けるための第２曲げ部１７が形成されている。また、第２変形例の魚介類採取具の爪１０は、弾性金属線材１１の基部１２の一部及び屈曲部１５を覆うように、弾性金属線材１１に嵌められた金属管１９を有している。図６においては、弾性金属線材１１の先端部１６の第２曲げ部１７に取り付けられた爪先２０も併せて示されている。
【００３１】
第２変形例の魚介類採取具の爪１０は、魚介類採取具に取り付けるための第１曲げ部１３の形状が図３及び図４に示した本実施の形態の魚介類採取具の爪１０と相違している。第２変形例の第１曲げ部１３は、緩衝機能を有する所定の結合器具を介して魚介類採取具に取り付けられてもよい。また、第２変形例の魚介類採取具の爪１０は、基部１２に緩衝部１４を欠く点で、基部１２に緩衝部１４が形成された前記本実施の形態の魚介類採取具の爪１０と相違している。さらに、第２変形例の魚介類採取具の爪１０は、屈曲部１５が第１方向から第３方向に方向を転換した後で第３方向から第２方向に方向を転換するように２箇所の曲げで形成されている点でも、屈曲部１５が円弧によって構成された前記本実施の形態の魚介類採取具の爪１０と相違している。他の構成については、前記本実施の形態の魚介類採取具の爪１０と同様である。
【００３２】
第２変形例の魚介類採取具の爪１０においても、弾性金属線材１１の屈曲部１５に金属管１９が嵌められ、屈曲部１５は金属管１９によって覆われて保護されている。したがって、爪先２０のエッジ２１で海底の土壌を掘り起こしてホタテ貝を採取するときに、ホタテ貝が屈曲部１５に衝突して屈曲部１５を破損することが防止されている。また、第２変形例の魚介類採取具の爪１０は、基部１２に緩衝部１４が含まれず、屈曲部１５が２箇所の曲げで形成されている点で構成が簡素であり、製造が容易である。他にも、前記本実施の形態の魚介類採取具の爪１０と同様の効果を有する。
【００３３】
図７は、魚介類採取具の爪の第３変形例を示す斜視図である。第３変形例の魚介類採取具の爪１０は、第１方向に延びる基部１２と、基部１２が延びる第１方向から第２方向に方向を転換する屈曲部１５と、屈曲部１５から第２方向に延びる先端部１６と有する弾性金属線材１１を有している。基部１２には、弾性金属線材１１の一端１１ａに魚介類採取具に取り付けるための第１曲げ部１３が形成されている。第３変形例の第１曲げ部１３は、所定の結合器具を介して魚介類採取具に取り付けられてもよい。
【００３４】
第３変形例の屈曲部１５は、第１方向から第２方向に向けて次第に角度を変化させ、第２方向を超えた後で第１方向に向けて次第の角度を変化させ、第１方向を超えた後で第２方向に次第に角度を変化させるように、略Ｚ字及び略Ｓ字を組み合わせたように蛇行した形状を有している。屈曲部１５は、このような形状を有するため、第１方向及び第２方向を含む面内においてこの魚介類採取具の爪１０の基部１２と先端部１６との間の角度の変動を緩衝する機能を有している。先端部１６には、弾性金属線材１１の他端１１ｂに海底の土壌を掘り起こすための爪先２０を取り付けるための第２曲げ部１７が形成されている。また、第３変形例の魚介類採取具の爪１０は、弾性金属線材１１の基部１２の一部及び屈曲部１５を覆うように、弾性金属線材１１に嵌められた金属管１９を有している。図７においては、弾性金属線材１１の先端部１６の第２曲げ部１７に取り付けられた爪先２０も併せて示されている。
【００３５】
第３変形例の魚介類採取具の爪１０は、魚介類採取具に取り付けるための第１曲げ部１３の形状が図３及び図４に示した本実施の形態の魚介類採取具の爪１０と相違している。第３変形例の第１曲げ部１３は、所定の結合器具を介して魚介類採取具に取り付けられてもよい。また、第３変形例の魚介類採取具の爪１０は、基部１２に緩衝部１４を欠く点で、基部１２に緩衝部１４が形成された前記本実施の形態の魚介類採取具の爪１０と相違している。さらに、第３変形例の第１曲げ部１３は、屈曲部１５が蛇行した形状を有して緩衝機能を有する点でも、屈曲部１５が円弧によって構成された前記本実施の形態の魚介類採取具の爪１０と相違している。他の構成については、前記本実施の形態の魚介類採取具の爪１０と同様である。
【００３６】
第３変形例の魚介類採取具の爪１０においても、弾性金属線材１１の屈曲部１５に金属管１９が嵌められ、屈曲部１５は金属管１９によって覆われて保護されている。したがって、爪先２０のエッジ２１で海底の土壌を掘り起こしてホタテ貝を採取するときに、ホタテ貝が屈曲部１５に衝突して屈曲部１５を破損することが防止されている。また、第３変形例の魚介類採取具の爪１０は、屈曲部１５が蛇行した形状を有して緩衝機能を有するため、海底の土壌を掘り起こしてホタテ貝を採取するときに爪先がホタテ貝に与える衝撃を和らげてホタテ貝の損傷を低減することができる。他にも、前記本実施の形態の魚介類採取具の爪１０と同様の効果を有する。
【符号の説明】
【００３７】
１０  魚介類採取具の爪
１１  弾性金属線材
１２  基部
１３  第１曲げ部
１４  緩衝部
１５  屈曲部
１６  先端部
１７  第２曲げ部
１９  金属管
【図１】
2020115766.tif 000003
【図２】
2020115766.tif 000004
【図３】
2020115766.tif 000005
【図４】
2020115766.tif 000006
【図５】
2020115766.tif 000007
【図６】
2020115766.tif 000008
【図７】
2020115766.tif 000009
【手続補正書】
【提出日】令和2年2月17日(2020.2.17)
【手続補正２】
【補正対象書類名】明細書
【補正対象項目名】０００１
【補正方法】変更
【補正の内容】
【０００１】
本発明は、ホタテ貝等を採取する魚介類採取具の爪及びその製造方法に関するものである。
【手続補正３】
【補正対象書類名】特許請求の範囲
【補正対象項目名】全文
【補正方法】変更
【補正の内容】
【特許請求の範囲】
【請求項１】
魚介類採取具の爪であって、
第１方向に延び、魚介類採取具に取り付けられる基部、第１方向から第２方向に延びるように方向を転換する屈曲部、及び前記屈曲部から第２方向に延び、海底の土壌を掘り起こすための爪先が取り付けられる先端部を含む弾性金属線材と、
少なくとも前記屈曲部を覆うように、前記弾性金属線材に嵌められた金属管と
を含む魚介類採取具の爪。
【請求項２】
前記基部は、前記第１方向及び前記第２方向を含む面内におけるこの魚介類採取具の爪の角度の変動を緩衝するための緩衝部をさらに含む請求項１に記載の魚介類採取具の爪。
【請求項３】
前記緩衝部は、前記弾性金属線材がコイル状に形成されてなる請求項２に記載の魚介類採取具の爪。
【請求項４】
前記基部には、魚介類採取具に取り付けるための第１曲げ部が形成された請求項１から３のいずれかに記載の魚介類採取具の爪。
【請求項５】
前記先端部には、前記爪先を取り付けるための第２曲げ部が形成された請求項１から４のいずれかに記載の魚介類採取具の爪。
【請求項６】
前記弾性金属線材はばね鋼であり、前記金属管は鋼管又はステンレス鋼管である請求項１から５のいずれかに記載の魚介類採取具の爪。
【請求項７】
第１方向に延び、魚介類採取具に取り付けられる基部、第１方向から第２方向に延びるように方向を転換する屈曲部、及び前記屈曲部から第２方向に延び、海底の土壌を掘り起こすための爪先が取り付けられる先端部を含む弾性金属線材と、
少なくとも前記屈曲部を覆うように、前記弾性金属線材に嵌められた金属管と
を含む魚介類採取具の爪の製造方法であって、
前記弾性金属線材を提供する工程と、
前記弾性金属線材の屈曲部に相当する部分に金属管を嵌める工程と、
前記弾性金属線材を前記金属管とともに曲げて前記屈曲部を形成する工程と、
前記弾性金属線材とともに前記金属管を熱処理する工程と
を含む魚介類採取具の爪の製造方法。
【手続補正書】
【提出日】令和2年4月15日(2020.4.15)
【手続補正１】
【補正対象書類名】特許請求の範囲
【補正対象項目名】請求項１
【補正方法】変更
【補正の内容】
【請求項１】
魚介類採取具の爪であって、
第１方向に延び、魚介類採取具に取り付けられる基部、第１方向から第２方向に延びるように方向を転換する屈曲部、及び前記屈曲部から第２方向に延び、海底の土壌を掘り起こすための爪先が取り付けられる先端部を含む弾性金属線材と、
少なくとも前記屈曲部を覆うように前記弾性金属線材に嵌められ、前記弾性金属線材とともに屈曲する金属管と
を含む魚介類採取具の爪。